(57)【要約】【課題】ディスプレイパネルにおける低電力マルチプレクサ構造と、これを用いたディスプレイパネル及び電子装置とを提供する。【解決手段】マルチプレクサは、制御信号による制御の下で、ソース出力信号の１つを赤（又は緑又は青）のサブピクセルに供給する。フレームを走査するか、又はフレームを変える度に、マルチプレクサを介してソース出力信号により駆動される赤（又は緑又は青）のサブピクセルが常に同じ信号極性となり、ソース出力信号における電圧の揺れのレートが極めて小さいか又は殆ど零であることによりマルチプレクサが消費する電力が少なくなるようにする。【選択図】図５
2007219469.tif 000002
【特許請求の範囲】
【請求項１】
ディスプレイパネルにおけるマルチプレクサであって、このディスプレイパネルの第１、第２及び第３ディスプレイユニットを駆動するマルチプレクサにおいて、当該マルチプレクサが、
第１制御信号による制御の下で第１ディスプレイユニットを駆動するようにソース信号ラインを結合する第１トランジスタと、
第２制御信号による制御の下で第２ディスプレイユニットを駆動するようにソース信号ラインを結合する第２トランジスタと、
第３制御信号による制御の下で第３ディスプレイユニットを駆動するようにソース信号ラインを結合する第３トランジスタと
を具え、
前記第１、第２及び第３トランジスタの導通期間が順次に生じるようになっているとともに、前記第１、第２及び第３ディスプレイユニットが、同じ走査極性で同じ色を呈するように駆動されるようになっているマルチプレクサ。
【請求項２】
請求項１に記載のマルチプレクサにおいて、前記第１、第２及び第３ディスプレイユニットが赤のサブピクセルであるマルチプレクサ。
【請求項３】
請求項１に記載のマルチプレクサにおいて、前記前記第１、第２及び第３ディスプレイユニットが緑のサブピクセルであるマルチプレクサ。
【請求項４】
請求項１に記載のマルチプレクサにおいて、前記前記第１、第２及び第３ディスプレイユニットが青のサブピクセルであるマルチプレクサ。
【請求項５】
請求項１に記載のマルチプレクサにおいて、前記第１トランジスタが、前記ソース信号ラインに結合されたソース端子と、前記第１制御信号のラインに結合されたゲート端子と、前記第１ディスプレイユニットに結合されたドレイン端子とを有するマルチプレクサ。
【請求項６】
請求項１に記載のマルチプレクサにおいて、前記第２トランジスタが、前記ソース信号ラインに結合されたソース端子と、前記第２制御信号のラインに結合されたゲート端子と、前記第２ディスプレイユニットに結合されたドレイン端子とを有するマルチプレクサ。
【請求項７】
請求項１に記載のマルチプレクサにおいて、前記第３トランジスタが、前記ソース信号ラインに結合されたソース端子と、前記第３制御信号のラインに結合されたゲート端子と、前記第３ディスプレイユニットに結合されたドレイン端子とを有するマルチプレクサ。
【請求項８】
請求項１に記載のマルチプレクサにおいて、このマルチプレクサは、フレーム反転モード、行反転モード、列反転モード及びドット反転モードのうちの何れかのモードで前記第１、第２及び第３ディスプレイユニットを駆動するようになっているマルチプレクサ。
【請求項９】
請求項１に記載のマルチプレクサにおいて、前記走査極性には正の極性及び負の極性のどちらか一方が含まれているマルチプレクサ。
【請求項１０】
第１、第２及び第３ディスプレイユニットと、これら第１、第２及び第３ディスプレイユニットを駆動するマルチプレクサとを有するディスプレイパネルであって、前記マルチプレクサが、
第１制御信号による制御の下で第１ディスプレイユニットを駆動するようにソース信号ラインを結合する第１トランジスタと、
第２制御信号による制御の下で第２ディスプレイユニットを駆動するようにソース信号ラインを結合する第２トランジスタと、
第３制御信号による制御の下で第３ディスプレイユニットを駆動するようにソース信号ラインを結合する第３トランジスタと
を具え、
前記第１、第２及び第３トランジスタの導通期間が順次に生じるようになっているとともに、前記第１、第２及び第３ディスプレイユニットが、同じ走査極性で同じ色を呈するように駆動されるようになっているディスプレイパネル。
【請求項１１】
請求項１０に記載のディスプレイパネルにおいて、前記第１、第２及び第３ディスプレイユニットが赤のサブピクセルであるディスプレイパネル。
【請求項１２】
請求項１０に記載のディスプレイパネルにおいて、前記第１、第２及び第３ディスプレイユニットが緑のサブピクセルであるディスプレイパネル。
【請求項１３】
請求項１０に記載のディスプレイパネルにおいて、前記第１、第２及び第３ディスプレイユニットが青のサブピクセルであるディスプレイパネル。
【請求項１４】
請求項１０に記載のディスプレイパネルにおいて、前記走査極性には正の極性及び負の極性のどちらか一方が含まれているディスプレイパネル。
【請求項１５】
第１、第２及び第３ディスプレイユニットと、これら第１、第２及び第３ディスプレイユニットを駆動するマルチプレクサとを有するディスプレイパネルを具える電子装置であって、前記マルチプレクサが、
第１制御信号による制御の下で第１ディスプレイユニットを駆動するようにソース信号ラインを結合する第１トランジスタと、
第２制御信号による制御の下で第２ディスプレイユニットを駆動するようにソース信号ラインを結合する第２トランジスタと、
第３制御信号による制御の下で第３ディスプレイユニットを駆動するようにソース信号ラインを結合する第３トランジスタと
を具え、
前記第１、第２及び第３トランジスタの導通期間が順次に生じるようになっているとともに、前記第１、第２及び第３ディスプレイユニットが、同じ走査極性で同じ色を呈するように駆動されるようになっている電子装置。
【請求項１６】
請求項１５に記載の電子装置において、前記第１、第２及び第３ディスプレイユニットが赤のサブピクセルである電子装置。
【請求項１７】
請求項１５に記載の電子装置において、前記第１、第２及び第３ディスプレイユニットが緑のサブピクセルである電子装置。
【請求項１８】
請求項１５に記載の電子装置において、前記第１、第２及び第３ディスプレイユニットが青のサブピクセルである電子装置。
【請求項１９】
請求項１５に記載の電子装置において、前記走査極性には正の極性及び負の極性のどちらか一方が含まれている電子装置。
【発明の詳細な説明】
【技術分野】
【０００１】
本発明は、ディスプレイパネルシステムに関するものであり、特に低電力消費のマルチプレクサを有するディスプレイパネルシステムに関するものである。
【背景技術】
【０００２】
情報及び通信分野における急速な発達に伴って、情報を見るための、薄肉で軽量で廉価なディスプレイ装置の需要が高まってきている。ディスプレイ装置を開発している産業界は、フラットパネル型のディスプレイ装置の開発に重点を置いてこれらの需要に応えている。
【０００３】
歴史的には、テレビジョン、コンピュータモニタ等のような分野におけるディスプレイ装置として、陰極線管（ＣＲＴ）モニタが広く用いられてきた。その理由は、ＣＲＴモニタは高輝度で表示しうる為である。しかし、ＣＲＴモニタは、スクリーンの寸法を大きく且つ解像度を高く保って、体積及び重量を低減させたり、携帯性を得たり、電力消費量を少なくしたりする必要があるディスプレイ分野の要求を適切に満足することができない。この必要性から、ディスプレイ産業界は、ＣＲＴモニタに代わるフラットパネル型のディスプレイ装置の開発に重点を置いている。長年に亘り、コンピュータ、宇宙船及び航空機用のモニタにフラットパネル型のディスプレイ装置が広く用いられるようになった。現在用いられているフラットパネル型のディスプレイ装置の例には、ＬＣＤ、エレクトロルミネッセントディスプレイ（ＥＬＤ）、電界放出ディスプレイ（ＦＥＤ）及びプラズマディスプレイパネル（ＰＤＰ）が含まれる。
【０００４】
理想的なフラットパネル型のディスプレイ装置に必要とする特性には、軽量、高輝度、高効率、高解像度、高速の応答時間、低駆動電圧、低電力消費、低価格及び自然色が含まれる。
【０００５】
寸法の増大及び解像度の増大に応じて、薄膜トランジスタ（ＴＦＴ）のＬＣＤ産業の開発及び応用が加速されている。又、ＬＣＤディスプレイシステムの低電力消費に対する多くの努力が成されている。
【０００６】
図１は、ディスプレイパネルシステムの簡単化したブロック線図を示す。このディスプレイパネルシステムは少なくとも、ディスプレイパネル１０と、ソースドライバ１５とを有している。このディスプレイパネル１０は少なくとも、マルチプレクサ段１３を有している。ディスプレイパネル１０の解像度は例えば、３２０列・２４０行である。ソースドライバ１５は、ディスプレイパネル１０上のＬＣＤセルを駆動する。
【０００７】
図２は、図１のマルチプレクサ段１３の一部を示す。この図２では、図面を簡単にするために、ｎ番目の行（ｎ）のみを示してある（図中、行を“row ”として示す）。既知のように、個々のピクセルは３つのサブピクセルＲ／Ｇ／Ｂを有する。符号“Ｒ１”、“Ｂ１”、“Ｇ１”は、行（ｎ）における第１ピクセルの３つのサブピクセルを参照し、“Ｒ２”、“Ｂ２”、“Ｇ２”は、行（ｎ）における第２ピクセルの３つのサブピクセルを参照し、以下同様である。信号Ｓ（ｎ，１）、Ｓ（ｎ，２）、Ｓ（ｎ，３）、Ｓ（ｎ，４）及びＳ（ｎ，５）は、ソースドライバ１５からのソース出力信号を参照し、信号Ｓ（ｎ，１）はマルチプレクサＭＵＸ（ｎ，１）を介して第１行（ｎ）におけるサブピクセルＲ１／Ｇ１／Ｂ１に供給され、以下同様である。各マルチプレクサは３つのトランジスタを有する。例えば、マルチプレクサＭＵＸ（ｎ，１）はトランジスタＴn,1 、Ｔn,2 及びＴn,3 を有し、マルチプレクサＭＵＸ（ｎ，２）はトランジスタＴn,4 、Ｔn,5 及びＴn,6 を有し、以下同様である。
【０００８】
制御信号ＣＫＨ１、ＣＫＨ２及びＣＫＨ３は、マルチプレクサ段１３におけるトランジスタのオン／オフ状態を制御する。制御信号ＣＫＨ１、ＣＫＨ２及びＣＫＨ３の波形を図２の下部に示す。制御信号ＣＫＨ１が高論理レベルＨになると、各マルチプレクサにおける第１トランジスタがオン状態となり、従って、ソース出力信号Ｓ（ｎ，１）、Ｓ（ｎ，２）、Ｓ（ｎ，３）、Ｓ（ｎ，４）及びＳ（ｎ，５）が、オン状態のトランジスタＴn,1 、Ｔn,4 、…を経てサブピクセルＲ１、Ｒ２、Ｒ３、…内に向けられる（すなわち、書込まれる）。同様に、制御信号ＣＫＨ２が高論理レベルＨになると、各マルチプレクサにおける第２トランジスタがオン状態となり、従って、ソース出力信号Ｓ（ｎ，１）、Ｓ（ｎ，２）、Ｓ（ｎ，３）、Ｓ（ｎ，４）及びＳ（ｎ，５）が、オン状態のトランジスタＴn,2 、Ｔn,5 、…を経てサブピクセルＧ１、Ｇ２、Ｇ３、…内に向けられる（すなわち、書込まれる）。制御信号ＣＫＨ３が高論理レベルＨになると、各マルチプレクサにおける第３トランジスタがオン状態となり、従って、ソース出力信号Ｓ（ｎ，１）、Ｓ（ｎ，２）、Ｓ（ｎ，３）、Ｓ（ｎ，４）及びＳ（ｎ，５）が、オン状態のトランジスタＴn,3 、Ｔn,6 、…を経てサブピクセルＢ１、Ｂ２、Ｂ３、…内に向けられる（すなわち、書込まれる）。
【０００９】
ＬＣＤパネルディスプレイシステムは４つの駆動モード、すなわち、フレーム反転モードと、行反転モードと、列反転モードと、ドット反転モードとを有する。図３ａ〜３ｄはそれぞれ、４つの駆動モードでの３つの順次のフレームにおけるソース出力信号の極性、従ってサブピクセルの極性を示す。４つの駆動モードでは、フレームが変化する度に、サブピクセルの極性が正（＋）から負（−）に又は負（−）から正（＋）に変化する。図３ａ〜３ｄでは、３つのみの順次のフレームを示している。
【００１０】
図３ａに示すように、フレーム反転モードでは、パネル中の全てのサブピクセルの極性が同じ、すなわち、正又は負の何れかである。第１フレームで、全てのサブピクセルの極性が正である場合、この極性は第２フレームで負に変化し、次に第３フレームで正に変化する。
【００１１】
図３ｂに示すように、行反転モードでは、同じ行の全てのサブピクセルの極性が同じ、すなわち、正又は負の何れかであるが、次の行では反転されている。例えば、第１フレームでは、行（１）における全てのサブピクセルの極性が正であり、行（２）における全てのサブピクセルの極性が負である。フレームが第２フレームに変化すると、行（１）における全てのサブピクセルの極性が負に反転し、行（２）における全てのサブピクセルの極性が正に反転する。フレームが第３フレームに変化すると、行（１）における全てのサブピクセルの極性が正に反転し、行（２）における全てのサブピクセルの極性が負に反転する。
【００１２】
図３ｃに示すように、列反転モードでは、同じ行における全てのサブピクセルの極性が同じ、すなわち、正又は負の何れかであるが、次の列では反転されている。例えば、第１フレームでは、第１列における全ての赤のサブピクセルＲ１の極性が正であり、第２列における全ての緑のサブピクセルＧ１の極性が負であり、第３列における全ての青のサブピクセルＢ１の極性が正である。フレームが第２フレームに変化し、次に第３フレームに変化すると、それぞれ、第１列における全ての赤のサブピクセルＲ１の極性が負に反転し、次に正に反転し、第２列における全ての緑のサブピクセルＧ１の極性が正に反転し、次に負に反転し、第３列における全ての青のサブピクセルＢ１の極性が負に反転し、次に正に反転する。
【００１３】
図３ｄに示すように、ドット反転モードでは、互いに隣接するいかなるサブピクセルの極性も互いに異なっている。例えば、第１フレームでは、行（１）における赤のサブピクセルＲ１の極性が正であるが、その隣接サブピクセル、すなわち、行（１）における緑のサブピクセルＧ１の極性と、行（２）における赤のサブピクセルＲ１の極性との双方は負である。フレームが第２フレームに変化し、次に第３フレームに変化すると、それぞれ、行（１）における赤のサブピクセルＲ１の極性が負に反転し、次に正に反転し、その隣接サブピクセル、すなわち、行（１）における緑のサブピクセルＧ１の極性と、行（２）における赤のサブピクセルＲ１の極性との双方が正に反転し、次に負に反転する。
【００１４】
電力消費量を低減させるために、ソース出力信号とサブピクセルとの間の接続をより最適にする必要があった。しかし、従来技術では、この接続が最適にならず、ソース出力信号の電圧の揺れ（スイング）及び周波数による電力消費が多くなり、これによりディスプレイパネルシステムの全電力消費量が増大される。
【００１５】
図４ａ〜４ｄは、ディスプレイパネルがシアンスクリーンを呈している場合の、上述した４つの駆動モードに基づく行（ｎ）及び行（ｎ＋１）のソース出力信号を示す。シアンスクリーンを呈するようにするためには、赤のサブピクセルが高レベルで駆動され、緑／青のサブピクセルが低レベルで駆動される。通常は、電圧の揺れが大きく、その周波数が高いことにより、電力消費量が多くなる。例えば、図４ａにおいては、赤のサブピクセルＲ１が正の高レベルで駆動され、緑のサブピクセルＧ１が正の低レベルで駆動されている為、ソース出力信号Ｓ（ｎ，１）が正の高レベルから正の低レベルに変化すると、大きな電圧の揺れが生じる。更に、従来技術では、これらの４つの駆動モードでの電圧の揺れの周波数が高く、従って、従来のマルチプレクサの電力消費が多くなる。
【００１６】
従って、電圧の揺れのレート（信号変化レート）を低減させた低電力消費のマルチプレクサ構造が電力節約のために必要となる。
【発明の開示】
【発明が解決しようとする課題】
【００１７】
本発明の目的は、低電力消費のマルチプレクサと、このマルチプレクサを適用し、走査フレームにおいて、同じマルチプレクサに結合されたサブピクセルが常に同じ信号極性で駆動されるようにした為に、ソース出力信号における信号周波数変化が極めて少なくなるようにしたディスプレイパネル装置とを提供することにある。
【課題を解決するための手段】
【００１８】
上述した及びその他の目的を達成するために、ディスプレイパネルの第１、第２及び第３（赤、青及び緑）サブピクセルを駆動するマルチプレクサをこのディスプレイパネルに設ける。このマルチプレクサは、第１制御信号による制御の下で第１サブピクセルを駆動するようにソース信号ラインを結合する第１トランジスタと、第２制御信号による制御の下で第２サブピクセルを駆動するようにソース信号ラインを結合する第２トランジスタと、第３制御信号による制御の下で第３サブピクセルを駆動するようにソース信号ラインを結合する第３トランジスタとを有する。第１、第２及び第３トランジスタの導通期間は、互いに重なることなしに順次に生じるものであり、第１、第２及び第３サブピクセルは同じ走査極性（正又は負）で同じ色（赤又は青又は緑）を呈するように駆動される。第１トランジスタは、ソース信号ラインに結合されたソース端子と、第１制御信号ラインに結合されたゲート端子と、第１サブピクセルに結合されたドレイン端子とを有する。第２トランジスタは、ソース信号ラインに結合されたソース端子と、第２制御信号ラインに結合されたゲート端子と、第２サブピクセルに結合されたドレイン端子とを有する。第３トランジスタは、ソース信号ラインに結合されたソース端子と、第３制御信号ラインに結合されたゲート端子と、第３サブピクセルに結合されたドレイン端子とを有する。ディスプレイパネルと、マルチプレクサを用いる電子装置とをも提供する。
【００１９】
上述した一般的な説明及び以下の詳細な説明は双方とも代表的なものであり、本発明の更なる説明を行うのに請求の範囲の開示も参酌すべきものである。
【実施例】
【００２０】
添付図面は、本発明を更に理解するためのものであり、本明細書の一部を成すものである。又、添付図面は、本発明の実施例を示すものであり、その説明と相俟って本発明の原理を開示する作用をするものである。
【００２１】
数例を添付図面に示す本発明の実施例を詳細に参照する。これらの実施例において、同じ又は同様な部分を参照するのに、図面及び説明においてできる限り同じ符号を用いた。
【００２２】
ディスプレイパネルにおいて互いに隣接するサブピクセル又はピクセルのグレースケールは、一般に互いにそれ程相違しない。例えば、行（１）における赤のサブピクセルＲ１のグレースケールは６３にでき、行（２）における他の赤のサブピクセルＲ１のグレースケールは６０にしうる。更に、ソース出力信号の極性変化、すなわち、サブピクセルの極性変化により電圧の揺れがしばしば生じる。従って、隣接するサブピクセルに与えられるソース出力信号の極性変化レートを有効に低減させることにより、電圧の揺れのレートを有効に低減させる。
【００２３】
図５は、本発明の第１実施例によるディスプレイパネルシステムにおける、ソース出力信号とサブピクセルとの間の接続及びマルチプレクサ段の構造を示す。このディスプレイパネルシステムは、ディスプレイパネルと、ソース駆動回路とを有する。ディスプレイパネルは少なくとも、マルチプレクサ段を有する。このマルチプレクサ段は複数のマルチプレクサを有し、その各マルチプレクサは数個のトランジスタ、例えば、３個のトランジスタを有する。マルチプレクサが、１つのソース出力信号を３個のサブピクセルに供給する３個のトランジスタを有する場合には、このマルチプレクサは１-トゥ-３（1-to-3）のマルチプレクサである。同様に、マルチプレクサが、１つのソース出力信号を６個のサブピクセルに供給する６個のトランジスタを有する場合には、このマルチプレクサは１対６のマルチプレクサである。
【００２４】
図５を参照するに、ソース出力信号Ｓ（ｎ，１）、Ｓ（ｎ，２）、Ｓ（ｎ，３）、Ｓ（ｎ，４）、Ｓ（ｎ，５）及びＳ（ｎ，６）はディスプレイパネルシステムのソース駆動回路（図示せず）から出力される。これらのソース出力信号Ｓ（ｎ，１）、Ｓ（ｎ，２）、Ｓ（ｎ，３）、Ｓ（ｎ，４）、Ｓ（ｎ，５）及びＳ（ｎ，６）はマルチプレクサにおけるトランジスタのソース端子に入力される。例えば、ソース出力信号Ｓ（ｎ，１）はトランジスタＴ´n,1 、Ｔ´n,4 及びＴ´n,7 のソース端子に供給され、ソース出力信号Ｓ（ｎ，２）はトランジスタＴ´n,2 、Ｔ´n,5 及びＴ´n,8 のソース端子に供給され、ソース出力信号Ｓ（ｎ，３）はトランジスタＴ´n,3 、Ｔ´n,6 及びＴ´n,9 のソース端子に供給される。
【００２５】
図５では、第１マルチプレクサが３つのトランジスタＴ´n,1 、Ｔ´n,4 及びＴ´n,7 を有する。同様に、第２マルチプレクサが３つのトランジスタＴ´n,2 、Ｔ´n,5 及びＴ´n,8 を有し、第３マルチプレクサが３つのトランジスタＴ´n,3 、Ｔ´n,6 及びＴ´n,9 を有し、第４マルチプレクサが３つのトランジスタＴ´n,10、Ｔ´n,13及びＴ´n,16を有し、第５マルチプレクサが３つのトランジスタＴ´n,11、Ｔ´n,14及びＴ´n,17を有し、第６マルチプレクサが３つのトランジスタＴ´n,12、Ｔ´n,15及びＴ´n,18を有する。
【００２６】
制御信号ＣＫＨ１はトランジスタＴ´n,1 、Ｔ´n,2 、Ｔ´n,3 、Ｔ´n,10、Ｔ´n,11及びＴ´n,12のゲート端子に供給される。同様にして、制御信号ＣＫＨ２は、トランジスタＴ´n,4 、Ｔ´n,5 、Ｔ´n,6 、Ｔ´n,13、Ｔ´n,14及びＴ´n,15のゲート端子に供給され、又制御信号ＣＫＨ３は、トランジスタＴ´n,7 、Ｔ´n,8 、Ｔ´n,9 、Ｔ´n,16、Ｔ´n,17及びＴ´n,18のゲート端子に供給される。これらの制御信号ＣＫＨ１〜ＣＫＨ３は、対応するトランジスタのオン／オフ状態を制御するのに用いられる。これらの制御信号ＣＫＨ１〜ＣＫＨ３の導通（高論理レベル）期間は順次に生じる。制御信号が高論理レベルになると、対応するトランジスタがオン状態となり、ソース出力信号が対応するサブピクセルに供給、すなわち書込まれる。制御信号ＣＫＨ１〜ＣＫＨ３の波形は図５の下部に示してある。トランジスタのドレイン端子はサブピクセルに結合されている。トランジスタＴ´n,1 、Ｔ´n,2 、Ｔ´n,3 のドレイン端子はサブピクセルＲ１、Ｇ１及びＢ１にそれぞれ結合されており、以下同様である。図５では、符号“＋”及び“−”が、フレーム反転モード及び行反転モードでのサブピクセルの信号極性を意味している。トランジスタＴ´n,10〜Ｔ´n,18はトランジスタＴ´n,1 〜Ｔ´n,9 に対し同じ又は類似の構造を有しているが、その詳細な説明は省略する。
【００２７】
制御信号ＣＫＨ１が高論理レベルになると、トランジスタＴ´n,1 〜Ｔ´n,3 及びトランジスタＴ´n,10〜Ｔ´n,12がオン状態となる。従って、ソース出力信号Ｓ（ｎ，１）、Ｓ（ｎ，２）、Ｓ（ｎ，３）、Ｓ（ｎ，４）、Ｓ（ｎ，５）及びＳ（ｎ，６）がサブピクセルＲ１、Ｇ１、Ｂ１、Ｒ４、Ｇ４及びＢ４にそれぞれ供給される。同様にして、制御信号ＣＫＨ２が高論理レベルになると、トランジスタＴ´n,4 〜Ｔ´n,6 及びトランジスタＴ´n,13〜Ｔ´n,15がオン状態となる。従って、ソース出力信号Ｓ（ｎ，１）、Ｓ（ｎ，２）、Ｓ（ｎ，３）、Ｓ（ｎ，４）、Ｓ（ｎ，５）及びＳ（ｎ，６）がサブピクセルＲ２、Ｇ２、Ｂ２、Ｒ５、Ｇ５及びＢ５にそれぞれ供給される。制御信号ＣＫＨ３が高論理レベルになると、トランジスタＴ´n,7 〜Ｔ´n,9 及びトランジスタＴ´n,16〜Ｔ´n,18がオン状態となる。従って、ソース出力信号Ｓ（ｎ，１）、Ｓ（ｎ，２）、Ｓ（ｎ，３）、Ｓ（ｎ，４）、Ｓ（ｎ，５）及びＳ（ｎ，６）がサブピクセルＲ３、Ｇ３、Ｂ３、Ｒ６、Ｇ６及びＢ６にそれぞれ供給される。
【００２８】
図６ａ及び６ｂは、例えば、本発明の第１実施例により、ディスプレイパネルシステム上にシアンスクリーンを呈するようにする場合の、フレーム及び行反転モードでのソース出力信号の波形を示す。シアンの色を表示させるために、赤のサブピクセルを正又は負の高レベルで駆動し、緑及び青のサブピクセルを正又は負の低レベルで駆動する。
【００２９】
図６ａは、フレーム反転モードでの行（ｎ）及び行（ｎ＋１）における最初の３つのサブピクセルに供給されるソース出力信号の波形を示す。“ＶＣＯＭ”は基準電圧、例えば、０Ｖを示す。図３ａを再び参照するに、フレーム反転モードでは、各ピクセル行におけるサブピクセルＲ１／Ｒ２／Ｒ３（及びこれらの対応するソース出力信号）の極性は各フレーム毎で常に同じとなる。従って、ソース出力信号Ｓ（ｎ，１）には電圧の揺れが全く生じないか又はほんの僅かしか生じない。その理由は、赤のサブピクセルの駆動中、ソース出力信号Ｓ（ｎ，１）が同じ極性に維持される為である。同様に、ソース出力信号Ｓ（ｎ，２）、Ｓ（ｎ，３）、…にも電圧の揺れが全く生じないか、又はほんの僅かしか生じない。
【００３０】
フレーム反転モードでの図４ａに示す従来技術では、Ｒ１を駆動する正の高レベルのソース出力信号が、Ｇ１を駆動する正の低レベルのソース出力信号に変化した際に、電圧の揺れが生じる。
【００３１】
図６ｂは、行反転モードでの行（ｎ）及び行（ｎ＋１）における最初の３つのサブピクセルに供給されるソース出力信号の波形を示す。図３ｂを再び参照するに、行反転モードでは、各行における赤のサブピクセルＲ１／Ｒ２／Ｒ３（及びこれらの対応するソース出力信号）の極性は各フレーム毎で常に同じであるが次の行で反転される。従って、ソース出力信号Ｓ（ｎ，１）には電圧の揺れが全く生じないか又はほんの僅かしか生じない。その理由は、赤のサブピクセルの駆動中、ソース出力信号Ｓ（ｎ，１）が同じ極性に維持される為である。しかし、次の行（ｎ＋１）における赤のサブピクセルの反転極性の駆動で電圧の揺れが生じる。同様に、ソース出力信号Ｓ（ｎ，２）、Ｓ（ｎ，３）、…にも電圧の揺れが全く生じないか、又はほんの僅かしか生じない。
【００３２】
行反転モードでの図４ｂに示す従来技術では、Ｒ１を駆動する正の高レベルのソース出力信号が、Ｇ１を駆動する正の低レベルのソース出力信号に変化した際に、又はＲ１を駆動する負の高レベルのソース出力信号が、Ｇ１を駆動する負の低レベルのソース出力信号に変化した際に、電圧の揺れが生じる。
【００３３】
上述したように、従来技術における電圧の揺れのレート及び電力消費に比べて、本発明の第１実施例は低電力消費で良好に動作する。
【００３４】
図７は、本発明の第２実施例による、ソース出力信号及びサブピクセル間の接続と、マルチプレクサ段の構造とを示す。図８ａ及び８ｂは、本発明の第２実施例により、ディスプレイパネルシステム上にシアンスクリーンを呈するようにする場合の、行及びドット反転モードでのソース出力信号の波形を示す。
【００３５】
ここで図７を参照するに、ソース出力信号Ｓ（ｎ，１）、Ｓ（ｎ，２）、Ｓ（ｎ，３）、Ｓ（ｎ，４）、Ｓ（ｎ，５）及びＳ（ｎ，６）がマルチプレクサにおけるトランジスタのソース端子に入力される。例えば、ソース出力信号Ｓ（ｎ，１）はトランジスタＴ″n,1 、Ｔ″n,7 及びＴ″n,13のソース端子に供給され、ソース出力信号Ｓ（ｎ，２）はトランジスタＴ″n,2 、Ｔ″n,8 及びＴ″n,14のソース端子に供給され、ソース出力信号Ｓ（ｎ，３）はトランジスタＴ″n,3 、Ｔ″n,9 及びＴ″n,15のソース端子に供給され、以下同様である。
【００３６】
制御信号ＣＫＨ１はトランジスタＴ″n,1 〜Ｔ″n,6 のゲート端子に供給される。同様にして、制御信号ＣＫＨ２はトランジスタＴ″n,7 〜Ｔ″n,12のゲート端子に供給され、制御信号ＣＫＨ３はトランジスタＴ″n,13〜Ｔ″n,18のゲート端子に供給される。これらの制御信号ＣＫＨ１〜ＣＫＨ３は、対応するトランジスタのオン／オフ状態を制御するのに用いられる。制御信号が高論理レベルになると、対応するトランジスタがオン状態となり、ソース出力信号が対応するサブピクセルに供給、すなわち書込まれる。制御信号ＣＫＨ１〜ＣＫＨ３の波形は図５の下部に示してある。トランジスタＴ″n,1 〜Ｔ″n,6 のドレイン端子はサブピクセルＲ１、Ｇ１、Ｂ１、Ｒ２、Ｇ２及びＢ２にそれぞれ結合されている。トランジスタＴ″n,7 〜Ｔ″n,12のドレイン端子はサブピクセルＲ３、Ｇ３、Ｂ３、Ｒ４、Ｇ４及びＢ４にそれぞれ結合されている。トランジスタＴ″n,13〜Ｔ″n,18のドレイン端子はサブピクセルＲ５、Ｇ５、Ｂ５、Ｒ６、Ｇ６及びＢ６にそれぞれ結合されている。
【００３７】
図７では、符号“＋”及び“−”が、ドット反転モード及び行反転モードでのサブピクセルの信号極性を意味している。この図７では、第１マルチプレクサが３つのトランジスタＴ″n,1 、Ｔ″n,7 及びＴ″n,13を有している。同様に、第２マルチプレクサは３つのトランジスタＴ″n,2 、Ｔ″n,8 及びＴ″n,14を有し、第３マルチプレクサは３つのトランジスタＴ″n,3 、Ｔ″n,9 及びＴ″n,15を有し、第４マルチプレクサは３つのトランジスタＴ″n,4 、Ｔ″n,10及びＴ″n,16を有し、第５マルチプレクサは３つのトランジスタＴ″n,5 、Ｔ″n,11及びＴ″n,17を有し、且つ第６マルチプレクサは３つのトランジスタＴ″n,6 、Ｔ″n,12及びＴ″n,18を有している。
【００３８】
制御信号ＣＫＨ１が高論理レベルになると、トランジスタＴ″n,1 〜Ｔ″n,6 が全てオン状態となる。従って、ソース出力信号Ｓ（ｎ，１）、Ｓ（ｎ，２）、Ｓ（ｎ，３）、Ｓ（ｎ，４）、Ｓ（ｎ，５）及びＳ（ｎ，６）がサブピクセルＲ１、Ｇ１、Ｂ１、Ｒ２、Ｇ２及びＢ２にそれぞれ供給される。制御信号ＣＫＨ２が高論理レベルになると、トランジスタＴ″n,7 〜Ｔ″n,12が全てオン状態となる。従って、ソース出力信号Ｓ（ｎ，１）、Ｓ（ｎ，２）、Ｓ（ｎ，３）、Ｓ（ｎ，４）、Ｓ（ｎ，５）及びＳ（ｎ，６）がサブピクセルＲ３、Ｇ３、Ｂ３、Ｒ４、Ｇ４及びＢ４にそれぞれ供給される。制御信号ＣＫＨ３が高論理レベルになると、トランジスタＴ″n,13〜Ｔ″n,18が全てオン状態となる。従って、ソース出力信号Ｓ（ｎ，１）、Ｓ（ｎ，２）、Ｓ（ｎ，３）、Ｓ（ｎ，４）、Ｓ（ｎ，５）及びＳ（ｎ，６）がサブピクセルＲ５、Ｇ５、Ｂ５、Ｒ６、Ｇ６及びＢ６にそれぞれ供給される。
【００３９】
図８ａ及び８ｂは、例えば、本発明の第１実施例により、ディスプレイパネルシステム上にシアンスクリーンを呈するようにする場合の、列及びドット反転モードでのソース出力信号の波形を示す。シアンの色を表示させるために、赤のサブピクセルを正又は負の高レベルで駆動し、緑及び青のサブピクセルを正又は負の低レベルで駆動する。
【００４０】
図８ａは、列反転モードでの行（ｎ）及び行（ｎ＋１）における最初の３つの奇数番目のサブピクセルに供給されるソース出力信号の波形を示す。図３ｃを再び参照するに、列反転モードでは、各列におけるサブピクセル（及びこれらの対応するソース出力信号）の極性は各フレームで同じであるが、順次のフレームで反転される。従って、列反転モードでは、ソース出力信号Ｓ（ｎ，１）には電圧の揺れが全く生じないか又はほんの僅かしか生じない。その理由は、赤のサブピクセルＲ１／Ｒ３／Ｒ５の駆動中、ソース出力信号Ｓ（ｎ，１）が同じ極性に維持される為である。同様に、緑のサブピクセルＧ１／Ｇ３／Ｇ５及び青のサブピクセルＢ１／Ｂ３／Ｂ５を駆動するソース出力信号Ｓ（ｎ，２）、Ｓ（ｎ，３）、…にも電圧の揺れが全く生じないか、又はほんの僅かしか生じない。
【００４１】
列反転モードでの図４ｃに示す従来技術では、Ｒ１を駆動する正の高レベルのソース出力信号が、Ｇ１を駆動する正の低レベルのソース出力信号に変化した際に、電圧の揺れが生じる。
【００４２】
図８ｂは、ドット反転モードでの行（ｎ）及び行（ｎ＋１）における最初の３つの奇数番目のサブピクセルに供給されるソース出力信号の波形を示す。図３ｄを再び参照するに、ドット反転モードでは、各行におけるサブピクセルＲ１／Ｂ１／Ｇ２／Ｒ３／Ｂ３／Ｇ４（及びこれらの対応するソース出力信号）の極性は同じであるが、次の行において反転される。従って、ソース出力信号Ｓ（ｎ，１）では電圧の揺れが僅かに生じる。その理由は、行（ｎ）の赤のサブピクセルＲ１／Ｒ３／Ｒ５の駆動中、ソース出力信号Ｓ（ｎ，１）が同じ極性にあるが、行（ｎ＋１）の赤のサブピクセルＲ１／Ｒ３／Ｒ５の駆動に当り反転される為である。同様に、ソース出力信号Ｓ（ｎ，２）、Ｓ（ｎ，３）、…にもほんの僅かの電圧の揺れが存在する。
【００４３】
ドット反転モードでの図４ｄに示す従来技術では、Ｒ１を駆動する正の高レベルのソース出力信号が、Ｇ１を駆動する負の低レベルのソース出力信号に変化した際に、又Ｒ１を駆動する負の高レベルのソース出力信号が、Ｇ１を駆動する正の低レベルのソース出力信号に変化した際に、電圧の揺れが生じる。
【００４４】
上述したように、従来技術に比べて、本発明の第２実施例は低電力消費で良好に動作する。その理由は、電圧の揺れのレートが低減される為である。上述した実施例では、同じ色及び同じ極性の複数のサブピクセルを同じソース出力信号により駆動し、従って、ソース出力信号に電圧の揺れが殆ど存在しないか、又はほんの僅かしか存在しない。電圧の揺れのレートが小さくなることにより、電力消費が少なくなる。
【００４５】
本発明の他の実施例により電子装置を提供する。図９は、本発明のこの実施例による電子装置を示す。この電子装置９０は、マルチプレクサ段９４を有するディスプレイパネル９２を具えている。マルチプレクサ段９４は、複数のマルチプレクサを具えている。これらのマルチプレクサは、図５及び図７に示すものと同じ又は類似する構造を有しており、その詳細な説明は省略する。
【００４６】
上述した実施例はＬＣＤパネルに適用したものであるが、本発明はこれに限定されるものではない。本発明は他のフラットパネル型のディスプレイ装置にも適用しうる。更に、上述した実施例におけるマルチプレクサは１-トゥ-３のマルチプレクサであるが、本発明はこれに限定されるものではない。本発明は他の種類のマルチプレクサ、例えば、１-トゥ-６又は１-トゥ-９のマルチプレクサにも適用しうる。
【００４７】
本発明の範囲又は精神を逸脱することなく、本発明の構造に種々の変形及び変更を施しうること、当業者にとって明らかである。このことは、本発明の変形及び変更が特許請求の範囲及びその等価の範囲内に含まれる限り、本発明はこれらの変形及び変更を含むことを意味するものである。
【図面の簡単な説明】
【００４８】
【図１】図１は、従来のディスプレイパネルシステムを簡単化して示すブロック線図である。
【図２】図２は、ソース出力信号及びサブピクセル間の接続と、従来のマルチプレクサ段の構造とを示す線図である。
【図３ａ】図３ａは、フレーム反転モードでのサブピクセルの極性を示す説明図である。
【図３ｂ】図３ｂは、行反転モードでのサブピクセルの極性を示す説明図である。
【図３ｃ】図３ｃは、列反転モードでのサブピクセルの極性を示す説明図である。
【図３ｄ】図３ｄは、ドット反転モードでのサブピクセルの極性を示す説明図である。
【図４】図４は、従来のディスプレイパネルがシアンスクリーンを呈する場合の、４つの駆動モードでのソース出力信号の電圧の揺れを示す線図である。
【図５】図５は、ソース出力信号及びサブピクセル間の接続と、本発明の第１実施例によるマルチプレクサ段の構造とを示す線図である。
【図６】図６は、本発明の第１実施例により、シアンスクリーンをディスプレイパネル上に呈する場合の、フレーム反転モード（図６ａ）及び行反転モード（図６ｂ）でのソース出力信号の波形を示す線図である。
【図７】図７は、ソース出力信号及びサブピクセル間の接続と、本発明の第２実施例によるマルチプレクサ段の構造とを示す線図である。
【図８ａ】図８ａは、本発明の第２実施例により、シアンスクリーンをディスプレイパネル上に呈する場合の、列反転モードでのソース出力信号の波形を示す線図である。
【図８ｂ】図８ｂは、本発明の第２実施例により、シアンスクリーンをディスプレイパネル上に呈する場合の、ドット反転モードでのソース出力信号の波形を示す線図である。
【図９】図９は、本発明の他の実施例による電子装置を示すブロック線図である。
【符号の説明】
【００４９】
１０    ディスプレイパネル
１３    マルチプレクサ段
１５    ソースドライバ
９０    電子装置
９２    ディスプレイパネル
９４    マルチプレクサ段
【図１】
2007219469.tif 000003
【図２】
2007219469.tif 000004
【図３ａ】
2007219469.tif 000005
【図３ｂ】
2007219469.tif 000006
【図３ｃ】
2007219469.tif 000007
【図３ｄ】
2007219469.tif 000008
【図４】
2007219469.tif 000009
【図５】
2007219469.tif 000010
【図６】
2007219469.tif 000011
【図７】
2007219469.tif 000012
【図８ａ】
2007219469.tif 000013
【図８ｂ】
2007219469.tif 000014
【図９】
2007219469.tif 000015